(57)【特許請求の範囲】
【請求項１】
送風口を有するケース内に、送風手段及び平板状の被送風体を設けてなる携帯式芳香器であって、
前記ケースは、前記送風手段を収納し且つ一方側に開口部を有する箱状のケース本体と、該ケース本体の開口部を開閉するように該ケース本体にスライド自在に支持され且つ一方側に該ケース本体の開口部と対向する開口部を有する箱状のスライド部材とを備え、
前記送風手段は、駆動モータと、該駆動モータの駆動軸に固定され且つその回転軸線が前記スライド部材のスライド方向に沿う羽根体と、を有する電動ファンを備え、
前記スライド部材は、前記被送風体の一部を外方へ露出させた状態で該被送風体を保持する保持部を有し、
前記ケース本体は、一対の上側ケース部材及び下側ケース部材と、該一対のケース部材の間に設けられる中間ベース部材と、を備え、該中間ベース部材と該上側ケース部材との間には、前記羽根体を収納する羽根体収納室と、前記駆動モータを収容するモータ収納室と、前記被送風体の前記一部を収納可能な収納部とが形成されており、該下側ケース部材と該中間ベース部材との間には、前記駆動モータの駆動用電池を収納する電池収納室と、前記スライド部材をスライド自在に案内するための案内部とが形成されており、前記羽根体収容室と前記収納部とは前記スライド部材のスライド方向に隣接して配置されており、前記羽根体及び前記被送風体は前記ケース内で前記スライド部材のスライド方向に沿って並設されており、前記スライド部材の下側壁部には複数の吸気口が貫通形成されており、前記羽根体収納室を形成する前記上側ケース部材には複数の前記送風口が貫通形成されており、該吸気口と該送風口とは前記スライド部材のスライド方向に位相がずらされており、
前記スライド部材のスライド移動によって前記ケース本体の前記開口部を開放させたとき、前記被送風体の一部が該スライド部材の前記開口部から外方へ突出して露出されるようにしたことを特徴とする携帯式芳香器。
【請求項２】
前記保持部は、前記被送風体を挟持する複数の薄板状の上下の保持片を有している請求項１記載の携帯式芳香器。
【請求項３】
前記モータ収納室には、前記電動ファンを構成するスイッチが収納されている請求項１又は２記載の携帯式芳香器。
【発明の詳細な説明】
【０００１】
【発明の属する技術分野】
本発明は携帯式芳香器に関し、更に詳しくは、精油等の滴下作業などを簡易かつ迅速に行うことができる小型で簡易な構造の携帯式芳香器に関する。
【０００２】
【従来の技術】
従来から緊張を和らげてリラックスするために、あるいは気分転換や集中力を増すために、芳香を楽しむことは広く行われている。この芳香を楽しむ際の従来の芳香器として、送風口を有するケース内に、送風手段及び被送風体を設けてなるものが知られている（２００１−２５２３４３号公報等）。そして、上記被送風体（例えば、不織布製吸収パッド等）に、数滴の精油等を滴下して染み込ませ、送風手段の送風作用によって、被送風体の芳香を送風口から周囲に発散させて芳香を楽しむことが行われる。
【０００３】
【発明が解決しようとする課題】
しかし、上記従来の芳香器では、ケースは、送風手段及び被送風体を収納するケース本体と、このケース本体に弾性フック部を介して着脱自在に取付けられ上記被送風体を覆い得るカバー部材とから構成されているので、上述のように精油等を被送風体に滴下させる作業などの際、弾性フック部を指先操作によって弾性変形させてケース本体に対してカバー部材を着脱する必要があり、その着脱作業が煩雑なものとなっている。また、精油等の滴下作業などの際、ケース部材からカバー部材が完全に分離された状態となっており、誤ってカバー部材を落下して破損したり、紛失したりする恐れがある。
また、上記従来の芳香器では、比較的小型で簡易な構造とされ、旅行先、オフィスや車内等に携帯できるようになっているが、更なる小型で簡易な構造で携帯性を高めたものが望まれている。
【０００４】
以上より本発明は、上記現状に鑑みてなされたものであり、精油等の滴下作業などを簡易かつ迅速に行うことができる小型で簡易な構造で携帯性の高い携帯式芳香器を提供することを他の目的とする。
【０００５】
本発明の携帯式芳香器は、送風口を有するケース内に、送風手段及び平板状の被送風体を設けてなる携帯式芳香器であって、前記ケースは、前記送風手段を収納し且つ一方側に開口部を有する箱状のケース本体と、該ケース本体の開口部を開閉するように該ケース本体にスライド自在に支持され且つ一方側に該ケース本体の開口部と対向する開口部を有する箱状のスライド部材とを備え、前記送風手段は、駆動モータと、該駆動モータの駆動軸に固定され且つその回転軸線が前記スライド部材のスライド方向に沿う羽根体と、を有する電動ファンを備え、前記スライド部材は、前記被送風体の一部を外方へ露出させた状態で該被送風体を保持する保持部を有し、前記ケース本体は、一対の上側ケース部材及び下側ケース部材と、該一対のケース部材の間に設けられる中間ベース部材と、を備え、該中間ベース部材と該上側ケース部材との間には、前記羽根体を収納する羽根体収納室と、前記駆動モータを収容するモータ収納室と、前記被送風体の前記一部を収納可能な収納部とが形成されており、該下側ケース部材と該中間ベース部材との間には、前記駆動モータの駆動用電池を収納する電池収納室と、前記スライド部材をスライド自在に案内するための案内部とが形成されており、前記羽根体収容室と前記収納部とは前記スライド部材のスライド方向に隣接して配置されており、前記羽根体及び前記被送風体は前記ケース内で前記スライド部材のスライド方向に沿って並設されており、前記スライド部材の下側壁部には複数の吸気口が貫通形成されており、前記羽根体収納室を形成する前記上側ケース部材には複数の前記送風口が貫通形成されており、該吸気口と該送風口とは前記スライド部材のスライド方向に位相がずらされており、前記スライド部材のスライド移動によって前記ケース本体の前記開口部を開放させたとき、前記被送風体の一部が該スライド部材の前記開口部から外方へ突出して露出されるようにしたことを特徴とする。
また、前記保持部は、前記被送風体を挟持する複数の薄板状の上下の保持片を有していることができる。
また、前記モータ収納室には、前記電動ファンを構成するスイッチが収納されていることができる。
【０００６】
上記「被送風体」としては、その材質、形状、大きさ等は特に問わない。上記被送風体は、通常、送風手段による送風気流に晒され得るように配置されている。上記被送風体は、例えば、精油（エッセンシャルオイル）、香水、オキシフル、無臭性薬液等の機能液を吸収する不織布製、織布製、スポンジ製等の機能液吸収体であることができる。これらの構成素材としては、例えば、パルプ、繊維（合成繊維、天然繊維等）などを用いることができる。また、上記機能液吸収体は、例えば、機能液の揮発性等を向上させ得る切り込みや貫通孔等の揮発性向上手段を有することができる。また、上記被送風体は、例えば、トルマリン粉末や固形芳香剤等の機能物質を予め含有（又は付着）する不織布製、織布製、スポンジ製等の機能物質含有体であることができる。これらの構成素材としては、例えば、パルプ、繊維（合成繊維、天然繊維等）などを用いることができる。また、上記被送風体は、例えば、上記機能物質自身であることができる。また、上記被送風体は、例えば、上記機能液や上記機能物質を収容する皿状、つぼ状、網状等の収容体であることができる。また、上記機能液としては、例えば、液状物質自身であったり、抽出液等の液状組成物であったり、固体状又は液体状を問わずこれを適当な溶媒体で溶解させて得た溶解液であったりできる。また、上記機能液又は機能物質の作用としては、例えば、心身への各種作用、皮膚への各種作用、細菌やウイルス、虫などに対する各種作用等を挙げることができる。上記心身への各種作用としては、例えば、鎮静作用（心や身体の働きをリラックスさせる。）、鎮痛作用（各種痛みを和らげる。）、消化・食欲増進作用（胃腸の働きをよくする。）、ホルモン調節作用（ホルモンの分泌を調整する。）、刺激作用（心や身体の活動を刺激し高める。）、強壮作用（身体を活性化し強化させる。）、免疫賦活作用（免疫の働きを強め活性化する。）、利尿作用等を挙げることができる。また、皮膚への各種作用としては、例えば、収れん作用（皮膚を引き締める。）、保湿作用（皮膚に潤いを与え乾燥を防ぐ。）等を挙げることができる。さらに、細菌やウイルス、虫などに対する各種作用としては、例えば、殺菌作用（バクテリアなどの菌を殺す。精油としてはティートリー等）、抗菌作用（細菌の増殖を抑える。精油としてはレモングラス等）、抗真菌作用（カビの増殖を抑える。精油としてはレモングラス等）、抗ウイルス作用（ウイルスの増殖を抑える。精油としてはティートリー、ユーカリ、ペパーミント、カモミール等）、殺虫・虫除け作用（虫を殺したり除いたりする。精油としてはシトロネラ等）等を挙げることができる。なお、上記機能液又は機能物質は、上記各種作用のうち１つ又は２以上を組合わせた作用を発揮することができる。
また、上記精油としては、例えば、ペパーミント、ローズマリー、ユーカリ、レモン、バジル、タイム、ニアウリ、セージ、レモングラス、クラリセージ、オレンジ、パルマローズ、バーベナ、シトロネラ、シナモン、マンダリン、パイン、ローズウッド、ベルガモット、イラン・イラン、ゼラニウム、シダーウッド、ティートリー、ローズ、バチュリー、サイブレス、ジェニパー、ジャスミン、フィンネル、フランキンセンス、ラベンダー、グレープフルーツ、カモマイル、マージョラム、サンダルウッド、ネロリ等を挙げることができる。特に、風邪や花粉症等に有効な精油としては、例えば、ユーカリ（抗ウイルス、殺菌、消炎、鎮痛作用等を有する。）、ペパーミント（心身への冷却作用や刺激作用等を有する。）、ティートリー（殺菌、消毒、ウイルス・真菌・細菌・感染症等の緩和作用等を有する。）、レモン（リフレッシュ作用等を有する。）、オレンジ・スイート（心身のリラックス作用等を有する。）、ラベンダー（鎮静、鎮痛、消毒・殺菌、抗ウイルス作用等を有する。）、カモミール・ローマン（リラックス、ホルモン調整作用等を有する。）などを挙げることができる。
さらに、上記「ケース」としては、その材質、形状、大きさ等は特に問わない。例えば、ガラス製、陶器製、合成樹脂製及び金属製のケースを挙げることができる。これらのうち、拡散器の持ち運びを容易とするために重量が軽くなる合成樹脂製であることが好ましい。また、デザイン性等の観点から透明合成樹脂製であったり、すりガラス加工が施されていたりすることが好ましい。さらに、ハンドリング性等の観点から、全体として扁平な卵型形状であることが好ましい。
さらに、上記「携帯式」とは、通常、旅行先、オフィス、車内等に持ち運び可能なタイプを意味する。
【０００７】
上記「拡散器」としては、例えば、前記ケース本体が、一対の上下側ケース部材と、これら上下側ケース部材間に設けられる中間ベース部材とを備えることができる。これにより、各部材間に送風手段や被送風体等を収納する収納室を形成することができ、小型で簡易な構造とすることができる。また、上記拡散器としては、例えば、前記移動部材はスライド部を有し、前記ケース本体は、このスライド部を所定間隔でスライド自在に案内する案内部を有することができる。これにより、移動部材をより円滑にスライド移動させることができる。上記拡散器としては、例えば、前記送風手段は、駆動モータと、この駆動モータの駆動軸に固定される羽根体とからなる電動ファンを備えることができる。そして、上記羽根体を、その回転軸線を前記移動部材のスライド方向に沿うように設けることができる。これにより、さらに小型で簡易な構造とすることができる。さらに、上記拡散器としては、例えば、前記保持部は、前記被送風体を保持する薄板状の複数の保持片を有して構成することができる。これにより、被送風体は必要最小限の保持面積で保持され、即ち、被送風体の大部分の面域が開放されており、より効率良く有効成分を揮散させることができる。また、上記拡散器は、例えば、拡散器を身体に対して携帯するためのストラップ、ベルト、フック等の携帯手段を備えることができる。これにより、例えば、ストラップを介して拡散器を首や腰等から吊下げたり、ベルトを介して拡散器を腰や腕等につけたりして、その携帯性をより向上させることができる。そして、この拡散器を、首や腰等から吊下げた状態（あるいは、腰や腕等につけた状態）のままで、芳香を楽しんだり、虫除け作用を発揮させたりできる。また、拡散器を、首や腰等から吊下げた状態（あるいは、腰や腕等につけた状態）であれば、後述するように、拡散器を鼻先等で局部的に使用する際、これに容易かつ迅速に対応することができる。
【０００８】
【発明の効果】
本発明の携帯式芳香器によると、移動部材の移動によりケース本体の開口部を開放させると、ケース本体又は移動部材に保持された被送風体の一部が外方へ露出されることとなる。従って、その露出状態の被送風体に精油等を簡易かつ迅速に滴下したり、その露出状態の被送風体を簡易かつ迅速に交換したりすることができる。また、精油等の滴下作業などの際、ケース本体と移動部材とは分離されないので、例えば、移動部材を紛失してしまう等の心配がない。さらに、移動部材の移動によってケース本体の開口部を迅速に閉鎖することができる。
また、移動部材が被送風体を保持し、ケース本体が被送風体の一部を収納するように構成したので、移動部材の移動によりケース本体の開口部を開放させたとき、移動部材に一部が露出された被送風体が保持されているので、精油等の滴下作業などをより簡易・迅速に行うことができる。
また、ケース本体に移動部材を所定間隔でスライド自在に支持するように構成したので、移動部材をより円滑に移動させることができ、精油等の滴下作業などをより簡易・迅速に行うことができる。
また、被送風体及び送風手段をケース内でスライド方向に沿って並設するように構成したので、より小型で簡易な構造で携帯性を高めることができる。
また、移動部材に設けた吸気口と、ケース本体に設けた送風口とのスライド方向の位相をずらして構成したので、さらに小型で簡易な構造で携帯性を高めることができる。
【０００９】
【発明の実施の形態】
次に、図１〜３を参照して本発明を実施例により具体的に説明する。
（１）携帯式芳香器の構成
本実施例に係る携帯式芳香器１は、図１に示すように、平面形状が卵形のケース２と、このケース２内に収容される電動ファン３（送風手段として例示する。）及びパルプ部材４（被送風体として例示するパルプからなる液吸収部材）とを基本的に備えて構成される。このケース２は、図２，３に示すように、一方側に開口部５ａ（図４参照）を有する箱状のケース本体５と、このケース本体５にスライド方向Ｓにスライド自在に支持され一方側に開口部６ａ（図４参照）を有する箱状のスライド部材６（移動部材として例示する。）とを備えている。これらケース本体５及びスライド部材６の互いの開口縁を当接させた状態で、両部材５，６の開口部５ａ，６ａは閉鎖されるようになっている。
【００１０】
上記ケース本体５は、皿状の下側ケース部材７と、この下側ケース部材７の上面側に設置される中間ベース部材８と、下側ケース部材７の周縁部に合せて設置され中間ベース部材８を覆う上側ケース部材９とを備えている。上記中間ベース部材８と上側ケース部材９との間には、電動ファン３を構成する羽根体１１を収納する羽根体収納室１６と、電動ファン３を構成する駆動モータ１２やスイッチ１３等を収容する収納室１７と、パルプ部材４の一部を収納するパルプ部材収納室１８（収納部として例示する。）とが形成されている。この羽根体収容室１６は、パルプ部材収容室１８及び上側ケース部材９に貫通形成した複数（図１で３つ）の送風口１９に連通している。
【００１１】
また、上記羽根体収納室１６とパルプ部材収納室１８とは、スライド方向Ｓに隣接して配置されており、即ち、各室１６，１８に収納される羽根体１１及びパルプ部材４はスライド方向Ｓに沿って並設されることとなる。また、下側ケース部材７と中間ベース部材８との間には、駆動モータ１２の駆動用電池１４を収納する電池収納室２０と、スライド部材６をスライド自在に案内するための案内部２１が形成されている。この案内部２１は、スライド方向Ｓに沿って延びる上下左右の案内面と、上下方向に延びる規制ピン２３とを有している。
【００１２】
上記スライド部材６の下側壁部には、複数（図１で３つ）の吸気口２５が貫通形成されている。また、スライド部材６は、平板状のパルプ部材４（被送風体として例示する。）を収納・保持する保持部２６と、上述の案内部２１によりスライド自在に案内される平板状のスライド部２７とを有している。この保持部２６は、複数（図２で３つ）の薄板状の上下の保持片２８ａ，２８ｂを有し、これら上下の保持片２８ａ，２８ｂ間に挟持されるパルプ部材４はケース２の高さ方向の略中央部に位置している。また、この保持部２６に保持されたパルプ部材４の半円状の部位がスライド部材６の内部空間内に位置する一方、パルプ部材４の舌片状の部位がスライド部材６の開口部６ａから外方へ突出して露出している。
【００１３】
また、上記スライド部２７には、スライド方向Ｓに沿って延びる長孔状の案内孔３１が形成され、この案内孔３１に上記案内部２１の規制ピン２３が挿通されている。従って、後述するように、スライド部材６は、ケース本体５と当接して両部材５，６の開口部５ａ，６ａを閉鎖する閉鎖位置Ａと、ケース本体５から離間して両部材５，６の開口部５ａ，６ａを開放する開放位置Ｂ（図４，５参照）との間でスライドすることとなる。尚、ケース本体５又はスライド部材６の開口縁には凸部（図示せず）が形成され、両部材の開口縁を当接させた際、凸部又は凸部と対応する相手部材の弾性変形によって両部材５，６の当接状態が好適に維持されるようになっている。また、図３に示すように、下側ケース部材７の長手方向の一端側にはストラップ取付用の穴４１が形成され、この穴４１にストラップ４０が取付けられている。従って、本実施例の携帯式芳香器１は、このストラップ４０を介して首や腰等から吊下げて携帯できるようになっている。さらに、図５に示すように、パルプ部材４には、精油等の揮発性等を向上させるための切り込み５０が形成されている。
【００１４】
（２）携帯式芳香器の作用
次に、以上のように構成された携帯式芳香器１の作用について説明する。芳香を楽しむ際の準備作業として、パルプ部材４に精油を滴下する場合、図２，３に示すように、ケース本体５に対して閉鎖位置Ａに位置するスライド部材６を指先操作によってスライド方向にスライドさせて、両部材５，６の開口部５ａ，６ａを開放させる。そして、図４，５に示すように、スライド部材６を開放位置Ｂに位置させると、パルプ部材４の舌片状の部位がパルプ部材収納室１８内から抜け出して外方へ突出して露出された状態となる。この露出状態のパルプ部材４に対して薬液ボトル等に封入されている精油を滴下して十分染み込ませる。尚、図４に仮想線で示すように、スライド部材６を開放位置Ｂに位置させた状態で、スライド部材６の保持部２６に保持されているパルプ部材４を別のパルプ部材４に容易に交換することができる。
【００１５】
その後、開放位置Ｂに位置するスライド部材６を再び閉鎖位置Ａに戻して、両部材５，６の開口部５ａ，６ａを閉鎖させる。すると、図２，３に示すように、パルプ部材４の舌片状の部位がパルプ部材収納室１８内に収納される。また吸気口２５、パルプ部材収納室１８、羽根体収納室１６及び送風口１９は互いに連通している。この状態より、スイッチ１３の押しボタン操作によって駆動モータ１２を駆動させて羽根体１１を回転させる。すると、吸気口２５から吸引される空気流によりパルプ部材４から揮散する芳香がパルプ部材収納室１８及び羽根体収納室１６を介して送風口１９から外方に発散され、この芳香を楽しむことができる。なお、携帯式芳香器１を、上記ストラップ４０を介して首や腰等から吊下げた状態で送風作動して芳香を楽しんだり、床面やテーブル等に載置した状態で送風作動して芳香を楽しんだりすることとなる。
【００１６】
（３）実施例の効果
以上より本実施例の携帯式芳香器１では、パルプ部材４を保持するスライド部材６にスライド部２７を設け、ケース本体５に、スライド部２７をスライド方向Ｓに沿ってスライド自在に案内する案内部２１を設けて構成したので、ケース本体５に対してスライド部材６を閉鎖位置Ａと開放位置Ｂとの間で迅速に変位させることができる。そして、スライド部材６を開放位置Ｂに位置させたとき、パルプ部材４の舌片状の部位が外方へ突出して露出され、その露出状態のパルプ部材４に精油を簡易かつ迅速に滴下することができる。また、スライド部材６を閉鎖位置Ａに位置させたとき、ケース２内にパルプ部材４全体が収納されることとなり、この携帯式芳香器１の一時的な未使用時等に、パルプ部材４無駄な芳香の揮散を防止することができる。さらに、ケース本体５の規制ピン２３とスライド部材６の案内孔３１との係止によって、ケース本体５からスライド部材６が分離してしまうことが防止され、スライド部材６のみを紛失・破損してしまう等の心配がない。
【００１７】
また、本実施例では、羽根体１１を収納する羽根体収納室１６と、パルプ部材４の一部を収納するパルプ部材収納室１８とをスライド方向Ｓに沿って隣接して配置したので、全体として小型で簡易な構造の携帯式芳香器１を提供することができる。また、本実施例では、スライド部材６に吸気口２５を形成し、ケース本体５に送風口１９を形成し、この吸気口２５と送風口１９とのスライド方向Ｓの位相をずらして構成したので、電動ファン３によって必要十分な空気流を発生させることができると共に、より小型で簡易な構造として携帯性を高めることができる。特に、このように本実施例の携帯式芳香器１は極めて小型で簡易な構造であるので、携帯式芳香器１を手に持って鼻先等で局部的に使用することに適している。例えば、ティートリー、ラベンダー、レモングラス、ユーカリ、カモミール、ペパーミント等の精油をパルプ部材４に３〜４滴落として、その携帯式芳香器を手に持って鼻先で送風作動させれば、鼻づまり、くしゃみ、鼻水等を即効的に抑えることができ、風邪や花粉症対策として有効に活用することができる。なお、人間は、いい匂いや好きな匂いをかぐと、免疫力が向上して感染菌に対する抵抗力が増すこととなるので、芳香浴によって風邪や花粉症などにかかりにくくなると言える。
さらに、本実施例では、スライド部材６の保持部２６を薄板状の上下の保持片２８ａ，２８ｂを有して構成したので、これら上下の保持片２８ａ，２８ｂによって保持されるパルプ部材４の保持面域を必要最小限として、パルプ部材４の大部分の面域を開放でき、パルプ部材４の芳香をより効率良く揮散させることができ、さらにパルプ部材４自身の交換作業をより簡易に行うことができる。
【００１８】
尚、本発明においては、前記具体的な実施例に示すものに限られず、目的、用途に応じて本発明の範囲内で種々変更した実施例とすることができる。即ち、本実施例では、ケース本体５の開口部５ａを開閉するように、ケース本体５にスライド部材６をスライド自在に支持して構成したが、これに限定されず、例えば、ケース本体５の開口部５ａを開閉するように、ケース本体５に回転部材（移動部材として例示する。）を回転自在に支持するようにしてもよい。さらに、本実施例では、スライド部材６をスライドさせたとき、パルプ部材４の一部（舌片状の部位）が外方へ突出して露出されるように構成したが、これに限定されず、例えば、パルプ部材の表面側の全域が外方へ露出されるようにしてもよい。
【００１９】
また、本実施例では、スライド部材６側にパルプ部材４を保持する保持部２６を設けて構成したが、これに限定されず、例えば、ケース本体５側にパルプ部材４を保持する保持部を設けてもよい。さらに、本実施例では、スライド部材６に吸気口２５を設け、ケース本体５に送風口１９を設けて構成したが、これに限定されず、例えば、ケース本体５及びスライド部材６のいずれか一方の部材に吸気口２５及び送風口１９を設けてもよい。また、例えば、スライド部材６に送風口１９を設け、ケース本体５に吸気口２５を設け、スライド部材６の送風口１９より芳香を発散させるようにしてもよい。また、本実施例では、拡散器として、芳香を拡散する芳香器１を例示したが、これに限定されず、例えば、上記パルプ部材４に染み込ませたシトロネラ（精油）を拡散させて虫除け作用等を発揮する拡散器としたり、上記パルプ部材４に染み込ませたオキシフルを拡散して殺菌作用や脱臭作用等を発揮する拡散器としたり、上記パルプ部材４の代わりに、トルマリン粉末を含有するシート材を用い、このシート材に水を染み込ませてマイナスイオンを発生させてリラックス作用等を発揮する拡散器などとしたりできる。また、本実施例では、携帯式の拡散器を例示したが、これに限定されず、例えば、据え置きタイプの拡散器とすることができる。また、本実施例では、被送風体として、パルプ部材４を例示したが、これに限定されず、例えば、フェルト部材やスポンジ部材等としてもよい。さらに、本実施例のパルプ部材４には切り込み５０（図５参照）を形成したが、これに限定されず、例えば、パルプ部材４には、切り込みの替わりに（あるいは切り込みと共に）、精油等の揮発性を向上させ得る多数の微細な貫通孔等を形成してもよい。
【図面の簡単な説明】
【図１】本実施例に係る携帯式芳香器の平面図である。
【図２】同じく、要部を断面とした平面図である。
【図３】同じく、要部を断面とした側面図である。
【図４】携帯式芳香器の作用説明図であり、スライド部材が開放位置に位置する状態を示す。
【図５】同じく、携帯式芳香器の斜視図である。
【符号の説明】
１：携帯式芳香器、２：ケース、３：電動ファン、４：パルプ部材、５：ケース本体、５ａ：開口部、６：スライド部材、６ａ：開口部、１９：送風口、２１：案内部、２５：吸気口、２６：保持部、２７：スライド部、Ｓ：スライド方向。
【図１】
0004359023.tif 000002
【図２】
0004359023.tif 000003
【図３】
0004359023.tif 000004
【図４】
0004359023.tif 000005
【図５】
0004359023.tif 000006